(57)【要約】【課題】本発明は、モルタル層の剥離に際して大きな振動や騒音が伴うおそれの少ないものであって、モルタル層をコンクリート躯体の表面から効率良く剥離できるモルタル層剥離装置の提供を目的とする。【解決手段】装置本体と、筒状体３と、拡開操作用ロッド４とを備える。筒状体３は、筒状体本体５と、その筒状体本体５の先端側に設けられた突部６とを備える。又、突部６は、筒状体本体５の外周面から外周方向に突出しているとともに、筒状体本体５の先端側に行くに従って漸次、前記外周面からの突出高さが高くなるように構成されている。【選択図】図３
2011153499.tif 000002
【特許請求の範囲】
【請求項１】
装置本体の先端側に設けられた拡開可能な筒状体と、その筒状体内に、その筒状体の軸方向に移動可能に配設された拡開操作用ロッドとを備え、前記拡開操作用ロッドを前記筒状体の軸方向の先端側に移動させることによって前記筒状体の先端部が外周方向に拡開しその拡開に際してコンクリート躯体表面のモルタル層を剥離させるモルタル層剥離装置であって、
前記筒状体は、筒状体本体と、その筒状体本体の先端側に設けられた突部とを備え、
前記突部は、前記筒状体本体の外周面から外周方向に突出しているとともに、前記筒状体本体の先端側に行くに従って漸次、前記外周面からの突出高さが高くなるように構成されていることを特徴とするモルタル層剥離装置。
【請求項２】
前記筒状体本体は、略円筒状のものから構成され、
前記突部は、前記筒状体本体の略全周に配設されていることを特徴とする請求項１記載のモルタル層剥離装置。
【発明の詳細な説明】
【技術分野】
【０００１】
本発明は、コンクリート躯体表面のモルタル層を剥離させるモルタル層剥離装置に関するものである。
【背景技術】
【０００２】
コンクリート建築物のコンクリート躯体表面には、モルタルが塗着されている場合も多い。このモルタル層は、例えばコンクリート躯体の修理や補強作業に際して、或いはモルタル層自体の劣化等により新たにモルタルを塗着するために、剥離することが必要となる場合がある。その剥離に際して、コンクリート建築物が病院やホテル等である場合、大きな振動や騒音を伴うのは好ましくない。
【０００３】
そこで、剥離に際して大きな振動や騒音が伴うおそれの少ないものとして、例えば特許文献１に提案されたものがある。このものは、油圧シリンダと、拡張ニードル（拡開操作用ロッド）と、先端部が拡開可能な筒状体とを備える。そして、予めモルタル層に形成した係止用孔に筒状体の先端側を入れ、その状態から油圧シリンダを作動し、油圧シリンダに設けたラムを前進駆動させる。これにより、拡開操作用ロッドが筒状体内を先端側に進行し、この拡開操作用ロッドの進行に伴って拡開操作用ロッドの先細りの先端部が筒状体の先端部内に押し入り先端部を外周方向の外方に押し広げてモルタル層にひび割れを生じさせる。又、拡開操作用ロッドの先端が係止用孔の底（奥）のコンクリート躯体に突き当たり、その後は筒状体が拡開操作用ロッドに対して相対的に後退し、この後退力によってコンクリート躯体の表面からモルタル層に剥離が生じる。その結果、前記押し広げ力と相俟ってモルタル層にひび割れを生じ易くして剥離させることができる。
【先行技術文献】
【特許文献】
【０００４】
【特許文献１】特開２００２−７０３３０号公報
【発明の概要】
【発明が解決しようとする課題】
【０００５】
しかしながら、特許文献１における筒状体は、その先端から基端に至る軸方向の全体が、略同じ外径に形成されているため、拡開操作用ロッドの先端が係止用孔の底（奥）のコンクリート躯体に突き当たって筒状体が拡開操作用ロッドに対して相対的に後退する際、筒状体が係止用孔の内周壁をすべり易く、このようなすべりが生じるとモルタル層をコンクリート躯体の表面から引き離し難くなってコンクリート躯体の表面からのモルタル層の剥離の効率が悪くなってしまう。
【０００６】
本発明は、モルタル層をコンクリート躯体の表面から効率良く剥離できるモルタル層剥離装置の提供を目的とする。
【課題を解決するための手段】
【０００７】
上記課題を解決するため、請求項１の発明は、装置本体の先端側に設けられた拡開可能な筒状体と、その筒状体内に、その筒状体の軸方向に移動可能に配設された拡開操作用ロッドとを備え、前記拡開操作用ロッドを前記筒状体の軸方向の先端側に移動させることによって前記筒状体の先端部が外周方向に拡開しその拡開に際してコンクリート躯体表面のモルタル層を剥離させるモルタル層剥離装置であって、前記筒状体は、筒状体本体と、その筒状体本体の先端側に設けられた突部とを備え、前記突部は、前記筒状体本体の外周面から外周方向に突出しているとともに、前記筒状体本体の先端側に行くに従って漸次、前記外周面からの突出高さが高くなるように構成されていることを特徴とするモルタル層剥離装置を提供する。
【０００８】
請求項２の発明は、請求項１に係るモルタル層剥離装置において、前記筒状体本体は、略円筒状のものから構成され、前記突部は、前記筒状体本体の略全周に配設されていることを特徴とするものである。
【発明の効果】
【０００９】
本発明の請求項１によれば、筒状体は、筒状体本体と、その筒状体本体の先端側に設けられた突部とを備え、突部は、筒状体本体の外周面から外周方向に突出しているとともに、前記筒状体本体の先端側に行くに従って漸次、前記外周面からの突出高さが高くなるように構成されている。
【００１０】
これにより、拡開操作用ロッドの筒状体に対する移動に伴って筒状体が拡開する際に、突部を、モルタル層とコンクリート躯体との間に入り込ませることができ、モルタル層に設けた係止用孔の奥部の内周壁に確実に係止させることができる。従って、拡開操作用ロッドの先端がコンクリート躯体に当たった後においては、拡開操作用ロッドの筒状体に対する移動に伴って、突部がモルタル層をコンクリート躯体から確実に引き離すことができ、モルタル層をコンクリート躯体の表面から効率良く剥離できる。
【００１１】
本発明の請求項２によれば、突部は、略円筒状の筒状体本体の略全周に配設されているため、突部を、より一層、モルタル層の係止用孔に係止し易いものにでき、より一層、モルタル層をコンクリート躯体の表面から効率良く剥離できる。
【図面の簡単な説明】
【００１２】
【図１】本発明の一実施の形態のモルタル層剥離装置の断面図である。
【図２】モルタル層剥離装置の筒状体をモルタルの係止用孔に挿入した状態の要部拡大断面図である。
【図３】図２の状態から、モルタル層剥離装置の拡開操作用ロッドの先端を筒状体の先端位置まで移動させた状態の要部拡大断面図である。
【図４】図３の状態から更に、モルタル層剥離装置の拡開操作用ロッドの先端を筒状体の先端から突出させた状態の要部拡大断面図である。
【図５】突部の他の実施形態の要部拡大断面図である。
【図６】突部の更に他の実施形態の要部拡大断面図である。
【発明を実施するための形態】
【００１３】
以下、本発明を実施するための最良の形態について、図面を参照しながら詳細に説明する。図１は、本発明の一実施の形態のモルタル層剥離装置の断面図である。又、図２は、モルタル層剥離装置の筒状体をモルタルの係止用孔に挿入した状態の要部拡大断面図、図３は、図２の状態から、モルタル層剥離装置の拡開操作用ロッドの先端を筒状体の先端位置まで移動させた状態の要部拡大断面図、図４は、図３の状態から更に、モルタル層剥離装置の拡開操作用ロッドの先端を筒状体の先端から突出させた状態の要部拡大断面図である。
【００１４】
本発明のモルタル層剥離装置１は、図１に示すように、装置本体２と、装置本体２の先端側に設けられた筒状体３と、筒状体３内に配設された拡開操作用ロッド４とを備えている。
【００１５】
装置本体２は、この実施形態では、油圧シリンダから構成されており、シリンダ部２１と、シリンダ部２１内に配設されたピストン２２及びピストン２２に連結されたピストンロッド２３とを備えている。
【００１６】
シリンダ部２１は、流体としての油を流す油圧回路２１ａを備えている。又、この油圧回路２１ａには、筒状の流体加圧手段連結部材２１ｂが設けられている。そして、この流体加圧手段連結部材２１ｂに、パイプ等（図示せず）を介して流体加圧手段としての油圧ポンプ（図示せず）が連結されることにより、油圧ポンプの作動に伴い油圧回路２１ａに油が流れるようになっている。
【００１７】
又、この油の流れによって、ピストン２２及びピストンロッド２３が油圧（流体圧）を受けて、シリンダ部２１内を、シリンダ部２１の軸方向（図１のＸ−Ｙ方向）に移動する。
【００１８】
筒状体３は、筒状体本体５と、その筒状体本体５の軸方向の先端（図１のＸ方向）に設けられた突部６とを備えている。筒状体本体５は、その軸方向の先端側に拡開部５１を備えている。
【００１９】
拡開部５１には、その先端から軸方向に沿って所定の長さで、所定幅で切り込まれた複数（この実施形態では４つ）のスリット５２が設けられている。これらのスリット５２によって拡開部５１が４つの分割片５３に分割されている。
【００２０】
また、拡開部５１は、先端側の内周側に、先端に行くに従って漸次内周径が小さくなる径小部５４を備えており、この径小部５４が内周側から外周側に押圧されると拡開部５１が外周方向に拡開するようになっている。
【００２１】
そして、この筒状体本体５は、その基端側が、シリンダ部２１の軸方向の先端側に連結されている。この実施形態では、両者に設けたネジを螺合させることによって両者を連結し、これにより、筒状体本体５は、その軸心がシリンダ部２１の軸心に合わされているとともに、シリンダ部２１の先端側に突出されている。
【００２２】
突部６は、筒状体本体５の分割片５３夫々の外周面５３ａにおける先端部の周方向の全体に外周方向に突出するように設けられており、筒状体本体５のほぼ全周にわたって配設されている。
【００２３】
又、突部６は、筒状体本体５の分割片５３の先端側（図のＸ方向）に行くに従って、上記外周面５３ａからの突出高さが高くなるように構成されている。この実施形態では、突部６は、図１、図２に示すように、先端側に凹んだ湾曲面６１を有するものとされているとともに、その突出先端が尖った尖部６２を有する形状を呈するものから構成されている。
【００２４】
次に、拡開操作用ロッド４について説明する。拡開操作用ロッド４は、筒状体本体５の先端側を拡開操作するもので、この実施形態では、円柱状のものから構成されている。拡開操作用ロッド４の外周径は、図１に示すように、上記筒状体本体５の径小部５４の内周径よりも径大に形成され、拡開部５１の内側に配設されている。
【００２５】
また、拡開操作用ロッド４は、その先端側に、拡開部５１の径小部５４を押圧操作する押圧操作部４１を備えている。この実施形態の押圧操作部４１は、先端側に漸次径小になるテーパー状に形成されている。
【００２６】
そして、この拡開操作用ロッド４は、その基端側が、装置本体２のピストンロッド２３の先端に連結されている。この実施形態では、拡開操作用ロッド４の基端側に、雌ネジ部が設けられており、その雌ネジ部がピストンロッド２３に設けられた雄ネジ部に螺合されるようにして連結されている。
【００２７】
この連結状態で、拡開操作用ロッド４は、その軸心がピストンロッド２３及び筒状体本体５夫々の軸心に合わされた状態で、筒状体本体５内に配設されている。そして、ピストンロッド２３の可動に伴い、拡開操作用ロッド４は、押圧操作部４１が筒状体本体５内に没入して拡開部５１の径小部５４に当接した図１、図２に示す状態から、拡開部５１の先端側に所定長さだけ突出した図４に示す状態までの範囲を、筒状体３に対して軸方向に出没可能に移動する。
【００２８】
次に、本発明のモルタル層剥離装置１を用いて、コンクリート躯体１００の表面のモルタル層１０１を剥離させる動作について説明する。尚、このモルタル層剥離装置１を用いて行なう場合、図２〜４に示すように、予め、剥離するモルタル層１０１に、モルタル層剥離装置１の筒状体３の突部６及び拡開部５１を嵌挿して係止する係止用孔１０２を、複数、適宜距離をもって形成しておく（図２〜図４では、１つだけ表している）。係止用孔１０２の内周径は、突部６の外周径よりも若干大きい程度のものである。
【００２９】
図２に示すように、モルタル層剥離装置１の筒状体３の突部６及び拡開部５１を、モルタル層１０１の係止用孔１０２に、筒状体３の先端面がコンクリート躯体１００に当たるまで嵌挿する。
【００３０】
その状態から、油圧ポンプを作動させてピストンロッド２３（図１参照）を先端側に移動させ、拡開操作用ロッド４を筒状体３内の先端側に移動させる。これにより、図３に示すように拡開操作用ロッド４の押圧操作部４１が拡開部５１の径小部５４を先端側に摺動する。
【００３１】
そして、その摺動に際して、拡開部５１が押圧操作部４１に内側から押圧されて径外方向（外周方向）に拡開し、突部６の径が拡がる。又、その突部６の径が拡がるに際して、突部６の尖部６２がコンクリート躯体１００とモルタル層１０１との境界１０４に入り込んで突部６の湾曲面６１がモルタル層１０１の係止用孔１０２の奥部の内周壁及び周縁部に係止する。
【００３２】
更に、拡開操作用ロッド４が筒状体３に対して移動すると、拡開操作用ロッド４の先端面がコンクリート躯体１００に当接する。この状態から更に、拡開操作用ロッド４が筒状体３に対して移動すると、図４に示すように拡開操作用ロッド４が筒状体３からの突出量を増すが、拡開操作用ロッド４はコンクリート躯体１００に当接して移動できないため、筒状体３の突部６が拡開操作用ロッド４に対して移動してコンクリート躯体１００に対して引き離れる方向に移動する。
【００３３】
その際、突部６の湾曲面６１がモルタル層１０１に係止しているため、従来品のように、筒状体３がモルタル層１０１の係止用孔１０２の内周壁を滑るおそれの少ないものにでき、モルタル層１０１をコンクリート躯体１００から引き離す方向に引っ張ることができる。これにより、モルタル層１０１における係止用孔１０２の周部に割れを生じさせてコンクリート躯体１００から確実に剥離できる。
【００３４】
同様に、図示しない他の係止用孔に対して、上記と同様な操作を行なうことにより、モルタル層の全体を剥離できる。
【００３５】
尚、上記実施形態では、突部６を、湾曲面を有するものから構成しているが、この形態のものに限らず、先端側に漸次、筒状体本体５の外周面からの突出高さが高くなる形状のものであれば良く、適宜変更できる。
【００３６】
例えば突部１６０を、図５に示すように、先端側にテーパー面１６１を有するものする。或いは、図６に示すように、突部２６０を、第１テーパー面１６２ａと、第１テーパー面１６２ａから先端側に延ばされた第１テーパー面１６２ａと角度の異なる第２テーパー面１６２ｂとの２つのテーパー面を有するものから構成しても良い。
【００３７】
又、突部は、筒状体本体５の周方向の全体に設ける形態のものに限らず、筒状体本体５の周方向の一部に設けるようにしても良く、適宜変更できる。
【００３８】
又、上記実施形態では、装置本体２を油圧シリンダから構成し、油圧によってピストン２２及びピストンロッド２３を介して拡開操作用ロッド４を移動させているが、この形態のものに限らず、適宜変更できる。
【００３９】
例えば装置本体２をエアシリンダから構成し、エア圧によってピストン２２及びピストンロッド２３を介して拡開操作用ロッド４を移動させるようにしても良い。
【００４０】
又、装置本体２は、油圧シリンダやエアシリンダ等の流体圧によりピストン２２及びピストンロッド２３を介して拡開操作用ロッド４を移動させる形態のものに限らず、例えば拡開操作用ロッド４を装置本体２に対してネジの進退に伴い移動させるようにしても良い。
【００４１】
また、上記実施形態では、拡開操作用ロッド４を、その先端が筒状体本体５内に没入した状態から拡開部５１の先端側に所定長さだけ突出するまでの範囲を、筒状体３に対して軸方向に出没可能に移動するようにしているが、この形態のものに限らず、適宜変更できる。
【００４２】
例えば拡開操作用ロッド４を、その先端が筒状体本体５内に没入した状態から、筒状体３を拡開させ、且つ、拡開操作用ロッド４の先端が筒状体３から突出せずにコンクリート躯体１００に当接しない位置（例えば図３に示す位置）までの範囲、筒状体３内を移動するようにしても良い。拡開操作用ロッド４の先端が筒状体３から突出せずにコンクリート躯体１００に当接しない図３に示す状態においては、筒状体３の突部１６０が確実にモルタル層１０１に係止しているため、モルタル層剥離装置１をコンクリート躯体１００から引き離す（引っ張る）ように力をかけるようにしても良い。
【００４３】
又、装置本体２として使用する油圧シリンダやエアシリンダの形式等は、特に限定されず、拡開操作用ロッド４を、流体圧によって移動できるものであれば良く、適宜変更できる。
【００４４】
また、上記実施形態では、拡開操作用ロッド４の先端面を平面から構成しているが、この形態のものに限らず、例えば曲面のものでもよい。又、曲面にする場合、その曲率は、特に限定されず、大きな曲率でも、小さな曲率でも良い。
【符号の説明】
【００４５】
１    モルタル層剥離装置
２    装置本体
３    筒状体
４    拡開操作用ロッド
５    筒状体本体
６、１６０，２６０    突部
１００    コンクリート躯体
１０１    モルタル層
【図１】
2011153499.tif 000003
【図２】
2011153499.tif 000004
【図３】
2011153499.tif 000005
【図４】
2011153499.tif 000006
【図５】
2011153499.tif 000007
【図６】
2011153499.tif 000008